(57)【要約】      （修正有）【課題】磁気回路に磁性流体を用いたスピーカーにおいて、振動板の振動が制限されるのを抑制できるスピーカを提供する。【解決手段】磁気回路２５は、内磁気部２５Ａと第３面２５Ｃを含む。内磁気部は、ボイスコイル２４の内側に形成され、第１面３１と第１凹部４１を含んでいる。第１面と第３面との間に磁気ギャップ２６が形成されている。第１面とボイスコイルの間に磁性流体３０が設けられている。そして、第１凹部は、第１面の中央に形成されている。第２凹部４２は、第１凹部の外方に設けられている。第１凹部とボイスコイルとの間に磁性流体の非充填部が形成されるので、振動板が振動した場合に、ボイスコイルで囲まれた空間の空気が空間外へ流出し、振動板の振動の制限を抑制できる。【選択図】図４
0003187354.tif 000002
【実用新案登録請求の範囲】
【請求項１】
フレームと、
前記フレームに連結された振動板と、
前記振動板に立設されたボイスコイルと、
前記フレーム内に収納され、磁気ギャップを含む磁気回路と、
前記磁気回路に設けられ、前記ボイスコイルの内側に配置された内磁気部と、
前記内磁気部に設けられ、前記ボイスコイルと対向して形成された第１面と、
前記磁気回路に設けられ、前記磁気ギャップを介して前記第１面と対向して配置された第３面と、
前記第１面と前記ボイスコイルの間に設けられた磁性流体と、
前記第１面の中央部に形成された第１凹部と、
前記第１の凹部の外方に設けられ、かつ前記第３面に形成された第２凹部と、
を備えた、スピーカ。
【請求項２】
前記磁気回路には、前記内磁気部を搭載する底部と、前記底部の端部のうちの対向する２箇所の端部で折れ曲がって形成され、かつ内側に前記第３面が形成された側面とを備えたヨークを、
さらに備えた、請求項１に記載のスピーカ。
【請求項３】
前記内磁気部には、
内磁石と、
前記内磁石の上に搭載され、かつ側面に前記第１面と前記第１凹部が形成された上プレートと、
をさらに備えた、請求項１に記載のスピーカ。
【請求項４】
前記上プレートを上から見た場合の形状は、前記第１凹部の中心を通る線に対して、鏡面対称である、
請求項１に記載のスピーカ。
【請求項５】
前記上プレートを上から見た場合の形状は、前記第１面と平行な面に対して、鏡面対称である、
請求項１に記載のスピーカ。
【請求項６】
前記内磁気部を前記振動板側から見た場合の形状が、長方形である場合、前記第１面は、前記内磁気部の長辺側に形成された請求項１に記載のスピーカ。
【請求項７】
前記内磁気部を前記振動板側から見た場合の形状が、トラック状である場合、前記第１面は、前記内磁気部の長軸方向と平行に形成された請求項１に記載のスピーカ。
【請求項８】
前記内磁気部に設けられた内磁石と、
前記内磁石を搭載する下プレートと、
前記内磁石を挟むように配置され、かつ前記内磁石の磁極の向きとは反対方向を向いて前記下プレート上に搭載された１対の外磁石と、
をさらに備えた、請求項１に記載のスピーカ。
【請求項９】
フレームと、
前記フレームに連結された振動板と、
前記振動板に立設されたボイスコイルと、
前記フレーム内に収納され、磁気ギャップを含む磁気回路と、
前記ボイスコイルの内側に配置された内磁気部と、
前記内磁気部に設けられ、かつ前記ボイスコイルと対向して配置された第１面と、
前記磁気回路に設けられ、かつ前記磁気ギャップを介して前記第１面と対向し、前記第１面との間で第１の磁束密度を生じる第３面と、
前記第１面と前記ボイスコイルとの間に設けられた磁性流体と、
前記第１面の中央部に形成された第１の凹部と、
前記第３面に設けられ、かつ第１凹部で前記第１の磁束密度よりも小さな第２の磁束密度を生じるように、前記第１凹部の外方に設けられた磁気開放部と、
を備えた、スピーカ。
【請求項１０】
フレームと、
前記フレームに連結された振動板と、
前記振動板に立設されたボイスコイルと、
前記フレーム内に収納され、第１の隙間によって磁気ギャップが形成された磁気回路と、
前記ボイスコイルの内側に配置された内磁気部と、
前記内磁気部の側面と前記ボイスコイルの間に設けられた磁性流体と、
前記磁気回路に設けられ、かつ磁気ギャップを介して磁気的に閉回路が形成された閉磁部と、
前記内磁気部に設けられ、かつ前記閉磁部の中央に配置された第１凹部と、
前記第１凹部の外方に設けられ、かつ磁気的に開放された開放部と、
を備えた、スピーカ。
【考案の詳細な説明】
【技術分野】
【０００１】
本考案は、磁気回路に磁性流体を用いたスピーカに関する。
【背景技術】
【０００２】
以下、従来のスピーカについて説明する。従来のスピーカは、フレーム、内磁型の磁気回路、振動板および、ボイスコイルと磁性流体を含んでいる。そして磁気回路は、磁石、プレート、ヨーク、磁気ギャップを含んでいる。なお、プレートとヨークは、磁性体材料によって形成されている。
【０００３】
磁石の形状は、細長い矩形状である。ヨークには、細長い矩形状の底部と、側面部を含んでいる。側面部は、底部の長辺側の端部から上方へと立設して形成されている。底部の上面には、磁石が搭載されている。さらに、磁石の上面には、プレートが搭載されている。磁気ギャップは、プレートの側面とヨークの側面部との間に形成されている。そして、磁気回路は、プレートが上側を向く方向で、フレーム内に収納されている。
【０００４】
振動板の外周端は、フレームの上面に連結されている。ボイスコイルの一端は、振動板に固定されている。一方、ボイスコイルの他端は、磁気ギャップに挿入されている。そして、プレートの側面とボイスコイルの内面との間の隙間には、磁性流体が充填されている。
【０００５】
なお、この出願の考案に関連する先行技術文献情報としては、例えば、特許文献１が知られている。
【先行技術文献】
【特許文献】
【０００６】
【特許文献１】特開２００９−３３２８０号公報
【考案の概要】
【考案が解決しようとする課題】
【０００７】
しかしながら従来のスピーカでは、プレートの側面とボイスコイルの内面との間の隙間に磁性流体が充填されている。したがって、振動板、ボイスコイルとプレート、および磁性流体で囲まれた空間は密閉された構成となっている。したがって、振動板が振動した場合に、空間の空気は空間外への流出が抑制されるので、振動板の振動が制限されるという課題を有している。
【０００８】
そこで本考案は、この問題を解決したもので、磁性流体による振動板の振動の制限を抑制できるスピーカを提供することを目的としている。
【課題を解決するための手段】
【０００９】
この目的を達成するためにスピーカは、フレーム、振動板、ボイスコイル、磁気ギャップを含む磁気回路、磁性流体を含んでいる。磁気回路には、内磁気部と第３面と、第２凹部を含んでいる。そして、内磁気部は、第１面、第２面、第１凹部を含んでいる。
【００１０】
振動板は、フレームに連結されている。ボイスコイルは、振動板に立設されている。磁気回路は、磁気ギャップを含み、フレーム内に収納されている。内磁気部は、ボイスコイルの内側に配置されている。第１面と第２面は、ボイスコイルと対向している。そして、第１面とボイスコイルとの間、および第２面とボイスコイルとの間に、磁性流体が設けられている。なお、第３面は、磁気ギャップを介して第１面と対向して配置されている。
【００１１】
そして、第１凹部は、第１面の中央部に形成されている。一方、第２凹部は、第３面に形成されており、第１凹部の外方の位置に配置されている。これにより所期の目的を達成できる。
【考案の効果】
【００１２】
以上のように本考案によれば、第１面に第１凹部が形成され、かつ第１凹部の外方の位置に第２凹部が形成されている。したがって、第１凹部とボイスコイルとの間に磁性流体の非充填部が形成されるので、振動板、ボイスコイル、内磁部、および磁性流体で囲まれた空間の空気が密閉されることを抑制できる。したがって、振動板が振動した場合に、空間の空気は空間外へ流出できるので、振動板の振動の制限を抑制できる。
【００１３】
さらに、第１凹部は、第１面の中央部に形成されているので、振動板のローリングの発生を抑制できる。
【図面の簡単な説明】
【００１４】
【図１】本考案の実施の形態におけるスピーカの上面図
【図２】本考案の実施の形態におけるスピーカの断面図
【図３】本考案の実施の形態におけるスピーカの断面図
【図４】本考案の実施の形態における磁気回路の概念図
【図５】本考案の実施の形態におけるスピーカの断面図
【図６】本考案の実施の形態におけるスピーカの他の例の磁気回路の概念図
【図７】本考案の実施の形態におけるスピーカの他の例の磁気回路の概念図
【図８】本考案の実施の形態における他の例のスピーカの磁気回路の概念図
【図９】本考案の実施の形態における他の例のスピーカの磁気回路の概念図
【図１０】本考案の実施の形態における他の例のスピーカの断面図
【図１１】本考案の実施の形態の他の例スピーカにおける他の例の磁気回路の概念図
【考案を実施するための形態】
【００１５】
以下本実施の形態におけるスピーカについて図面を参照しながら説明する。図１は、本実施の形態におけるスピーカの上面図である。図２は、本実施の形態におけるスピーカを前面方向からみた場合の断面図である。図３は、本実施の形態におけるスピーカを側面方向から見た場合の断面図である。図４は、本実施の形態における磁気回路を上から見た場合の概念図である。図５は、本考案の実施の形態におけるスピーカの断面図である。なお、図２は、スピーカを図１に示す断面線２−２で切断した場合の断面図を示している。図３は、スピーカを図１に示す断面線３−３で切断した場合の断面図を示している。図５は、スピーカ２１を図１に示す断面線５−５で切断した場合の断面図を示している。また、断面線５−５は、図２に示す内磁気部２５Ａの長手方向の幅Ｌの中心線上に位置している。
【００１６】
スピーカ２１は、フレーム２２、振動板２３、ボイスコイル２４、磁気ギャップ２６を備えた磁気回路２５、磁性流体３０を含んでいる。磁気回路２５には、内磁気部２５Ａと第３面２５Ｃと、第２凹部４２を含んでいる。そして、内磁気部２５Ａは、第１面３１、第２面３２、第１凹部４１を含んでいる。振動板２３は、フレーム２２の上面に連結されている。ボイスコイル２４の一端は、振動板２３に立設されている。なお、ボイスコイル２４と振動板２３は、たとえば接着剤などによって接続できる。磁気回路２５は、磁気ギャップ２６を含んでおり、フレーム２２内に収納されている。
【００１７】
内磁気部２５Ａは、ボイスコイル２４の内側に配置されている。第１面３１と第２面３２は、ボイスコイル２４と対向している。そして、第１面３１とボイスコイル２４との間、および第２面３２とボイスコイル２４との間には、磁性流体３０が設けられている。なお、第３面２５Ｃは、磁気ギャップ２６を介して第１面３１と対向して配置されている。
【００１８】
そして、第１凹部４１は、第１面３１の中央部に形成されている。一方、第２凹部４２は、第３面２５Ｃに形成されており、第１凹部４１の外方の位置に配置されている。
【００１９】
以上の構成により、第１凹部４１とボイスコイル２４との間に磁性流体３０の非充填部３３が形成される。すなわち、非充填部３３は、空間３４と、空間３４の外部との間の通気孔として作用するので、振動板２３、ボイスコイル２４、内磁気部２５Ａ、および磁性流体３０で囲まれた空間３４の空気が、密閉されることを抑制できる。したがって、振動板２３が振動した場合に、空間３４の空気は空間外へ流出できる。その結果、空間３４内の気圧の上昇を抑制できるので、振動板２３の振動が制限されることを抑制できる。さらに、第１凹部４１は、第１面３１の中央部に形成されているので、振動板２３のローリングの発生を抑制できる。
【００２０】
次に、磁気回路２５について、さらに詳細に説明する。磁気回路２５には、内磁気部２５Ａとヨーク２５Ｂを含んで構成することが好ましい。磁気回路２５では、第１面３１と第２面３２がボイスコイル２４の内面と対向している。そして、磁性流体３０は、第１面３１と第２面３２の周囲に設けられている。なお、第１面とボイスコイル２４との間に形成された第１の隙間に、磁性流体３０が充填されている。以上の構成により、磁気回路２５には、閉磁部が形成されている。すなわち、閉磁部には、上プレート２５Ｅ、内磁石２５Ｄ、ヨーク２５Ｂ、磁気ギャップ２６によって、磁気的に閉じた回路が形成されている。その結果、磁気ギャップ２６には、第１の磁束密度が発生する。
【００２１】
内磁気部２５Ａは、内磁石２５Ｄを含み、ボイスコイル２４の内側に配置されている。なお、内磁気部２５Ａは、上プレート２５Ｅを含むことが好ましい。この場合、上プレート２５Ｅは、内磁石２５Ｄの上側に装着されている。そして、第１面３１と第２面３２は、上プレート２５Ｅの側面に形成される。この構成により、第１面３１は、第３面２５Ｃと対向して配置され、第１面３１と第３面２５Ｃとの間に磁気ギャップ２６が形成されている。そして、ボイスコイル２４の他端は、磁気ギャップ２６へ挿入された状態となっている。
【００２２】
なお、第１凹部４１は、上プレート２５Ｅに形成することが好ましい。この構成により、内磁石２５Ｄには、第１凹部４１を設けなくてもかまわない。すなわち、上プレート２５Ｅに第１凹部４１が形成されているので、内磁石２５Ｄとボイスコイル２４との間の隙間が磁性流体３０によって塞がれることを抑制できる。したがって、空間３４の空気は、内磁石２５Ｄとボイスコイル２４との間の隙間から、空間３４の外部へと流出できる。なお、内磁石２５Ｄは、硬く、脆いので、内磁石２５Ｄに第１凹部４１を形成するためには、大きな工数を要する。ところが、以上のような構成により、内磁石２５Ｄには、第１凹部４１を設ける必要がない。したがって、内磁石２５Ｄを製作する工数を削減できるので、内磁石２５Ｄは安い。
【００２３】
さらに、上プレート２５Ｅを上側から見た場合の形状は、第１凹部４１の中心を通る線に対して、鏡面対称であることが好ましい。この構成により、第１凹部４１は、第１面３１の中心に配置される。この構成により、図４において、上プレート２５Ｅの上半分での磁束密度の分布と、上プレート２５Ｅの下半分での磁束密度の分布は、第１凹部４１の中心を通る線に対して、対称とできる。したがって、さらに振動板２３のローリングを抑制できる。
【００２４】
なお、上プレート２５Ｅは、第１凹部４１の中心を通る線に対して、鏡面対称な形状に限られない。たとえば、上プレート２５Ｅを上側から見た場合の形状は、第１面３１と平行な線に対して、鏡面対称でもかまわない。この構成により、図４において、上プレート２５Ｅの右側の半分の領域での磁束密度の分布と、上プレート２５Ｅの左側の半分の領域での磁束密度の分布は、対称とできる。したがって、さらに振動板２３のローリングを抑制できる。
【００２５】
さらに、上プレート２５Ｅを上側から見た場合の形状は、第１凹部４１の中心を通る線に対して鏡面対称であり、かつ第１凹部４１の中心を通る線に対しても鏡面対称であることが、さらに好ましい。この構成により、さらに振動板２３のローリングを抑制できる。
【００２６】
なお、内磁気部２５Ａは、上プレート２５Ｅを含まない構成としてもかまわない。この場合、磁気ギャップ２６は、内磁石２５Ｄの側面が、第１側面５２と対向することによって形成されている。この場合、第１面３１、第２面３２および第１凹部４１は、内磁石２５Ｄの側面に形成されている。内磁気部２５Ａを振動板２３側から見た場合の、内磁気部２５Ａの形状はトラック状であることが好ましい。この場合、第１面３１は、内磁気部２５Ａの長軸方向と平行に形成することが好ましい。すなわち、第２面３２の形状は、円弧状である。この構成により、第１面３１と第３面２５Ｃとが向かい合う面積を大きくできる。したがって、磁気ギャップ２６の磁束密度は、大きい。
【００２７】
なお、内磁気部２５Ａを振動板２３側から見た場合の、内磁気部２５Ａの形状はトラック状に限られない。たとえば、内磁気部２５Ａを振動板２３側から見た場合の、内磁気部２５Ａの形状は正方形、長方形、楕円などでもかまわない。なお、内磁気部２５Ａを振動板２３側から見た場合の、内磁気部２５Ａの形状が、長方形である場合、第１面３１は、内磁気部２５Ａの長辺側に形成することが好ましい。すなわち、第２面３２は、内磁気部２５Ａの短辺側に形成されている。この構成により、第１面３１と第３面２５Ｃとが向かい合う面積を大きくできる。したがって、磁気ギャップ２６の磁束密度は、大きい。
【００２８】
ヨーク２５Ｂは、底部５１と第１側面５２を含んで構成できる。そして、底部５１上に内磁石２５Ｄが搭載されている。第１側面５２は、底部５１の対向する２箇所の端部に立設されている。なお、第３面２５Ｃは、第１側面５２の内面に形成されている。この場合、第２凹部４２は、第１側面５２の上端部に形成されている。そして、第２凹部４２は、第１凹部４１の外方に配置されている。この構成により、第１凹部４１の外方には、開放部２７が形成される。開放部２７では、第１面３１と対向すべき第１側面５２を備えない。すなわち開放部２７では、ヨーク２５Ｂに第３面２５Ｃが形成されていない。その結果、開放部２７では、磁気的に開放されているので、開放部２７での磁束密度は、小さい。したがって、第１凹部４１で生じる第２の磁束密度は、第１の磁束密度よりも小さい。
【００２９】
この構成により、磁性流体３０の多くは、第１面３１とボイスコイル２４の間と、第２面３２とボイスコイル２４との間に留まる。したがって、第１凹部４１とボイスコイル２４との間に磁性流体３０の非充填部３３を形成できる。すなわち、振動板２３、ボイスコイル２４、内磁気部２５Ａ、および磁性流体３０で囲まれた空間３４の空気が、密閉されることを抑制できる。したがって、振動板２３が振動した場合に、空間３４の空気は空間外へ流出できる。その結果、空間３４内の気圧の上昇を抑制できるので、振動板２３の振動が制限されることを抑制できる。
【００３０】
なお、第１側面５２は、底部５１の長手方向の端部に設けることが好ましい。この構成により、磁気ギャップ２６の磁束密度を大きくできる。また、第１側面５２は、たとえば、底部５１の対向する２箇所の端部から折り曲げて形成することが好ましい。この構成により、容易にヨーク２５Ｂを形成できる。
【００３１】
なお、内磁気部２５Ａの形状が、長方形、あるいはトラック型である場合、内磁気部２５Ａの短い方向の寸法は、たとえば約２．５ｍｍとできる。そしてこの場合、スピーカ２１の外形の短い方向の寸法は、たとえば約７ｍｍとできる。したがって、幅の狭いスピーカ２１を実現できる。
【００３２】
図６は、本実施の形態におけるスピーカの他の例の磁気回路を上から見た場合の概念図である。図７は、実施の形態におけるスピーカの他の例の磁気回路を横から見た場合の概念図である。磁気回路１２５は、内磁気部２５Ａ、ヨーク１２５Ｂ、磁気ギャップ２６、を含んでいる。内磁気部２５Ａは、内磁石２５Ｄと、上プレート２５Ｅを含んで構成することが好ましい。
【００３３】
さらに、ヨーク１２５Ｂは、底部５１、第１側面５２、第２側面１５２を含んでいる。この場合、第２側面１５２は、底部５１の端部から立設されて形成され、第１側面５２と第２側面１５２は、互いに隣り合うように配置されて構成されている。この構成により、上プレート２５Ｅの側面と第２側面１５２の内側の面とが対向する。その結果、上プレート２５Ｅの側面と第２側面１５２の間にも、磁気ギャップ２６が形成されるので、さらにボイスコイル２４に供給される磁力を大きくできる。
【００３４】
図８は、他の例のスピーカの磁気回路を上から見た場合の概念図である。図９は、他の例のスピーカの磁気回路を横から見た場合の概念図である。図１０は、他の例のスピーカの断面図である。スピーカ２２１は、図３に示すスピーカ２１の磁気ギャップ２６が形成された磁気回路２５に代えて、磁気ギャップ２６が形成された磁気回路２２５を備えている。
【００３５】
磁気回路２２５は、内磁気部２５Ａ、下プレート２２５Ｂ、外磁気部２２５Ｆを含んでいる。内磁気部２５Ａは、内磁石２５Ｄと、上プレート２５Ｅを含んで構成することが好ましい。この場合、上プレート２５Ｅは、内磁石２５Ｄの上面に搭載されている。外磁気部２２５Ｆは、一対の外磁石２２５Ｇと、上プレート２２５Ｈを含んで構成することが好ましい。この場合、上プレート２２５Ｈは、外磁石２２５Ｇの上面に搭載されている。
【００３６】
内磁気部２５Ａと、外磁気部２２５Ｆは、下プレート２２５Ｂ上に搭載されている。なお、内磁気部２５Ａは、一対の外磁気部２２５Ｆ間に挟まれるように配置されている。この構成により、磁気回路２２５は、内磁気部２５Ａと外磁気部２２５Ｆの間に、磁気ギャップ２６を形成できる。たとえば、磁気回路２２５が、上プレート２５Ｅと上プレート２２５Ｈを含む構成である場合、磁気回路２２５は、上プレート２５Ｅと上プレート２２５Ｈの間に磁気ギャップ２６が形成された構成とできる。なお、内磁石２５Ｄと外磁石２２５Ｇの磁極は、互いに反対方向となるように配置されている。以上の構成により、さらに磁気ギャップ２６での磁束密度は大きくできる。
【００３７】
内磁気部２５Ａの形状は、矩形状であることが好ましい。そして、内磁気部２５Ａの形状が、矩形状である場合、内磁気部２５Ａの長辺と外磁気部２２５Ｆの長辺が対向するように配置することが好ましい。この構成により、第１面３１と第３面２５Ｃとが、対向する面積を大きくできる。したがって、磁気ギャップ２６での磁束密度を大きくできる。
【００３８】
この場合、上プレート２２５Ｈには、第２凹部４２を設けている。そして第２凹部４２は、第１凹部４１の外方に形成されている。以上の構成により、第１凹部４１とボイスコイル２４との間に、磁性流体３０の非充填部３３が形成される。したがって、振動板２３、ボイスコイル２４、内磁気部２５Ａ、および磁性流体３０で囲まれた空間３４の空気が、密閉されることを抑制できる。
【００３９】
なお、外磁石２２５Ｇは、複数の磁石によって構成してもかまわない。この場合、複数の磁石は、隙間２２６だけ離れて、下プレート２２５Ｂの上に装着することが好ましい。この場合、外磁石２２５Ｇは、第２凹部４２の下に、隙間２２６が成形されるように、配置する。この構成により、第１凹部４１とボイスコイル２４との間に、磁性流体３０の非充填部３３が形成される。
【００４０】
さらに、上プレート２２５Ｈは、搭載部２５１Ａと連結部２５１Ｂを含んで構成することが好ましい。上プレート２２５Ｈは、一対の外磁石２２５Ｇが下プレート２２５Ｂへ搭載された状態で、一対の搭載部２５１Ａが一対の外磁石２２５Ｇの上面に搭載されるように形成されている。そして、連結部２５１Ｂは、これらの一対の搭載部２５１Ａの間を連結している。たとえば、内磁気部２５Ａが矩形状である場合、連結部２５１Ｂは、内磁気部２５Ａの短辺側の側面と対向するように配置することが好ましい。この構成により、内磁気部２５Ａの短辺側の側面と、連結部２５１Ｂの間にも、磁気ギャップ２６を形成できる。したがって、さらに磁気ギャップ２６の磁束密度を大きくできる。
【００４１】
なお、連結部２５１Ｂは、搭載部２５１Ａの端部から下方へ折り曲げて形成することが好ましい。この構成により、内磁気部２５Ａの短辺側の側面と、連結部２５１Ｂとが対向する面積を大きくできる。
【００４２】
図１１は、他の例の上プレートを用いた磁気回路を上から見た場合の概念図である。この場合、磁気回路２３５では、磁気回路２２５の上プレート２２５Ｈに代えて、上プレート２３５Ｈを用いている。上プレート２３５Ｈは、図８に示す上プレート２２５Ｈに対して、搭載部３５１Ａが隙間２２６の上方で分離されている点が異なっている。この構成により、第１凹部４１の外方は、磁気的に開放される。したがって、第１凹部４１の外方に、開放部２７が形成される。その結果、第１凹部４１とボイスコイル２４との間に、磁性流体３０の非充填部３３が形成される。
【産業上の利用可能性】
【００４３】
本考案にかかるスピーカは、振動板の振動の制限を抑制できるという効果を有し、特に幅狭型のスピーカ等に用いると有用である。
【符号の説明】
【００４４】
２１  スピーカ
２２  フレーム
２３  振動板
２４  ボイスコイル
２５  磁気回路
２５Ａ  内磁気部
２５Ｂ  ヨーク
２５Ｃ  第３面
２５Ｄ  内磁石
２５Ｅ  上プレート
２６  磁気ギャップ
２７  開放部
３０  磁性流体
３１  第１面
３２  第２面
３３  非充填部
３４  空間
４１  第１凹部
４２  第２凹部
５１  底部
５２  第１側面
１２５  磁気回路
１２５Ｂ  ヨーク
１５２  第２側面
２２１  スピーカ
２２５  磁気回路
２２５Ｂ  下プレート
２２５Ｆ  外磁気部
２２５Ｇ  外磁石
２２５Ｈ  上プレート
２２６  隙間
２３５  磁気回路
２３５Ｈ  上プレート
２５１Ａ  搭載部
２５１Ｂ  連結部
３５１Ａ  搭載部
【図１】
0003187354.tif 000003
【図２】
0003187354.tif 000004
【図３】
0003187354.tif 000005
【図４】
0003187354.tif 000006
【図５】
0003187354.tif 000007
【図６】
0003187354.tif 000008
【図７】
0003187354.tif 000009
【図８】
0003187354.tif 000010
【図９】
0003187354.tif 000011
【図１０】
0003187354.tif 000012
【図１１】
0003187354.tif 000013